(57)【要約】【課題】作業を行うテーブル天板に置かれた必要な小物を操作者の手の届く範囲で収納され、作業を行うテーブル天板の限られたスペースを最大限に利用可能とする。【解決手段】作業を行うテーブル天板の端に取り外し可能な垂直な支柱をクリップやネジなどで固定し、その支柱に補助テーブルやカゴなどを取り付けることにより、従来テーブルに置かれていた必要な小物は収納され、必要に応じてはテーブルやカゴを拡張や追加する場合も支柱間を広げるのみで、テーブル天板で作業を行う際には邪魔にならず、限られたスペースを最大限に利用できることを可能とする。【選択図】図１
2005177029.tif 000002
【特許請求の範囲】
【請求項１】
作業を行うテーブル天板の端に取り外し可能な垂直な支柱をクリップやネジなどで固定し、その支柱に補助テーブルやカゴなどを取り付けることにより、従来テーブルに置かれていた必要な小物はその支柱に取り付けられたテーブルやカゴに収納され、必要に応じてはテーブルやカゴを拡張や追加する場合も支柱間を広げるのみで、テーブル天板で作業を行う際には邪魔にならず、限られたスペースを最大限に利用できることを特徴とする機能美に優れたインテリア補助テーブル。
【発明の詳細な説明】
【技術分野】
【０００１】
本発明は、作業を行うテーブル天板の端に取り外し可能な補助テーブルやカゴなどを取り付ける機能美に優れたインテリア補助テーブルに関するものである。
【背景技術】
【０００２】
従来のテーブルを整理する目的の補助テーブルは、実用に共されている。実用の補助テーブルは、作業を行うテーブル天板に補助テーブルやラックを設置し、テーブルが拡張するという方法で実用上十分であった。
【０００３】
しかし、従来の補助テーブルは、ラックを置いて小物を整理し、テーブルを追加することにより作業スペースを広くするという方法で実現していた。図２は、小物を収納するラックである。このように作業を行うテーブル天板にラックを設置する場合、ラックの脚が邪魔となり作業を行うテーブル天板を最大限に利用できない欠点があった。
【０００４】
テーブルなど限られたスペースを最大限に利用する用途において、この欠点は限られたスペースで作業を行うテーブルに関して大きな障害である。具体的には、収納するテーブルやラックの脚が邪魔となり作業を行うテーブルスペースを最大限に利用出来ない、ラックの収納容量を超える場合は別のテーブルやラックを用意するなどの問題があった。
【０００５】
この改善策として、取り外し可能な垂直な支柱をクリップやネジなどで固定し、その支柱に補助テーブルやカゴなどを取り付ける方法がある。図１はこの方法による機能美に優れたインテリア補助テーブルの実装形態を示すための説明図である。図１で、１は作業を行うテーブル天板、２は支柱、３はクリップやネジ、４は支柱に取り付けた補助テーブルである。
【特許文献１】特開特許公開２００３−２３５６７４号公報
【発明の開示】
【発明が解決しようとする課題】
【０００６】
解決しようとする問題点は、テーブルなどで作業を行う用途において、従来テーブルに置かれている必要な小物などを置いていたら、限られたスペースを最大限に利用できない点である。
【課題を解決するための手段】
【０００７】
本発明は、作業を行うテーブル天板の端に取り外し可能な垂直な支柱をクリップやネジなどで固定し、その支柱に補助テーブルやカゴなどを取り付けることにより、従来テーブルに置かれていた必要な小物は作業を行うテーブル天板から手の届く範囲で収納することを可能とし、限られたスペースを最大限に利用できることを最も主要な特徴とする。
【発明の効果】
【０００８】
本発明のインテリアテーブルは、作業を行うテーブル天板の端に取り外し可能な垂直な支柱をクリップやネジなどで固定し、その支柱に補助テーブルやカゴなどを取り付けることにより、従来テーブルに置かれていた必要な小物はその支柱に取り付けられたテーブルやカゴに収納され、必要に応じてはテーブルやカゴを拡張や追加する場合も支柱間を広げるのみで、テーブル天板で作業を行う際には邪魔にならず、限られたスペースを最大限に利用できるという利点がある。
【発明を実施するための最良の形態】
【０００９】
テーブルで作業を行う際、従来テーブルに置かれていた必要な小物を、作業を行うテーブル天板から手の届く範囲で収納することを可能とし、テーブルは整理され限られたスペースを最大限に利用できるという目的を、最小の部品点数で実現した。
【実施例１】
【００１０】
図１は、本発明装置の１実施例であって、補助テーブル４を支える垂直な支柱は２であり、その支柱に作業を行うテーブルに固定するクリップやネジ３がある。
【００１１】
補助テーブル４を支える支柱２は常に作業を行うテーブル1にクリップやネジ３で固定され、任意に取り外し可能かつ支柱間の補助テーブルは様々な形に拡張や追加できる。本発明の主体は、作業を行うテーブル天板の端に取り外し可能な垂直な支柱をクリップやネジなどで固定し、その支柱に補助テーブルやカゴなどを取り付けることにより、従来テーブルに置かれていた必要な小物はその支柱に取り付けられたテーブルやカゴに収納され、必要に応じてはテーブルやカゴを拡張や追加する場合も支柱間を広げるのみで、テーブル天板で作業を行う際には邪魔にならず、限られたスペースを最大限に利用できる方法にあるので、支柱に補助テーブルを取り付ける方法、作業を行うテーブル天板に垂直な支柱を固定するためのクリップやネジの構造、支柱及びテーブルの材質の説明は省略する。
【００１２】
このように作業を行うテーブル天板の端に取り外し可能なクリップやネジなどで固定する垂直な支柱を採用し、その支柱に補助テーブルやカゴなどを取り付けることによりに、従来テーブルに置かれていた必要な小物は作業を行うテーブル天板から手の届く範囲で収納することができる。従って、操作者が作業を行うテーブルは整理され限られたスペースを最大限に利用できる効果がある。
【００１３】
図１の実施例は、テーブル天板の端に取り外し可能な垂直な支柱をクリップやネジなどで固定し、その支柱に補助テーブルやカゴなどを取り付け、従来テーブルに置かれていた必要な小物を収納する。必要に応じてはテーブルやカゴを拡張や追加する場合も支柱間を広げるのみで、補助テーブルの拡大におおいに役立つ。
【産業上の利用可能性】
【００１４】
テーブル天板の端に取り外し可能な垂直な支柱をクリップやネジなどで固定し、その支柱に補助テーブルやカゴなどを取り付けることにより、従来テーブルに置かれていた必要な小物は収納され、必要に応じてはテーブルやカゴを拡張や追加する場合も支柱間を広げるのみで、テーブル天板で作業を行う際には邪魔にならず、限られたスペースを最大限に利用できるので補助テーブルを2段にしたり、支柱間にホワイトボードを取り付けたり、支柱に小物を吊り下げるフックを取り付けたり様々な用途にも適用できる。
【図面の簡単な説明】
【００１５】
【図１】インテリアテーブルの実施方法を示した説明図である。（実施例１）
【図２】インテリアテーブルを実施しない従来のテーブルを示した説明図である。（実施例２）
【符号の説明】
【００１６】
１    作業を行うテーブル天板
２    支柱
３    作業を行うテーブル天板に垂直な支柱を固定するためのクリップやネジ
４    支柱に取り付ける補助テーブル
５    支柱に取り付けるフック
６    支柱に取り付けるホワイトボード
７    作業を行うテーブル天板に設置するラック
【図１】
2005177029.tif 000003
【図２】
2005177029.tif 000004